(57)【要約】【課題】専門知識のない人でも地上デジタル放送信号が有する特性の測定を簡単に、正確に、かつ再現性よく行え、操作性を大幅に向上する。【解決手段】  複数チャネルで構成され、ＯＦＤＭ変調された地上デジタル放送信号ａが有するチャネル毎の各特性の測定項目を測定条件に従って測定し、測定結果を表示器２７に表示出力する地上デジタル放送測定システムにおいて、表示器に表示された測定項目選択画面４９を用いて操作入力されたチャネル毎の特性の測定項目を設定する測定項目設定手段３９と、測定項目設定手段で設定されたチャネル毎の特性の測定項目を記憶する測定項目メモリ４０と、測定項目メモリに記憶された各チャネルの測定項目を測定条件に従って順番に実施していく測定実行手段１５とを備えている。【選択図】      図３
2006033173.tif 000002
【特許請求の範囲】
【請求項１】
複数チャネルで構成され、各チャネルの周波数帯域に変調方式が異なる複数のデジタル情報の階層を配置しこれらの階層をＯＦＤＭ変調した地上デジタル放送信号が有するチャネル毎の各特性の測定項目を測定条件に従って測定し、測定結果を表示器に表示出力する地上デジタル放送測定システムにおいて、
前記表示器に表示された測定項目選択画面を用いて操作入力されたチャネル毎の特性の測定項目を設定する測定項目設定手段と、
この測定項目設定手段で設定されたチャネル毎の特性の測定項目を記憶する測定項目メモリと、
この測定項目メモリに記憶された各チャネルの測定項目を前記測定条件に従って順番に実施していく測定実行手段と
を備えたことを特徴とする地上デジタル放送測定システム。
【請求項２】
前記各特性の測定を実施するに際して必要な前記測定条件を示す各パラメータを前記入力された地上デジタル放送信号から取得して設定する自動設定モードと、
前記各特性の測定を実施するに際して必要な前記測定条件を示す各パラメータを操作入力に基づいて設定する手動設定モードと、
操作入力に基づいて前記自動設定モード又は手動設定モードを選択する設定モード選択手段と
を備えたことを特徴とする請求項１記載の地上デジタル放送測定システム。
【請求項３】
現在位置情報を取得する位置情報取得手段と、
前記測定結果に前記位置情報取得手段で取得された現在位置情報を付加する位置情報付加手段と
を備えたことを特徴とする請求項１又は２記載の地上デジタル放送測定システム。
【発明の詳細な説明】
【技術分野】
【０００１】
本発明は、地上デジタル放送信号の各種の特性を測定する地上デジタル放送測定システムに関する。
【背景技術】
【０００２】
地上デジタル放送システムは、今までの地上アナログ放送システムに比較して非常に複雑なシステムである。地上デジタル放送システムで採用されている地上デジタル放送信号は、一つの信号に多数の情報が組込まれているために、複雑な構造を有し、この地上デジタル放送信号を一義的に定義するには、周波数（チャンネル）や電力基準レベルの他に、モード、ガード比、階層数、セグメント数、変調方式など測定条件に関する多くのパラメータが存在する。
【０００３】
したがって、地上デジタル放送信号の特性を測定するにはこれらのパラメータを知り、測定装置に正しく設定する必要がある。測定装置は、地上デジタル放送信号が有するチャネル毎の各特性の測定項目を設定された測定条件のパラメータに従って測定する（特許文献１参照）。
【特許文献１】特開２００２−１２４９３１号公報
【発明の開示】
【発明が解決しようとする課題】
【０００４】
また、一般的なスペクトルアナライザ（周波数分析装置）で地上デジタル放送信号を測定する場合、測定装置に対する操作も今までのアナログ放送信号を測定する場合とは違ったものになる。すなわち、スペクトルアナライザは正弦波信号に対して最適に測定できるようになっているため、白色雑音に似た特性である地上デジタル放送信号では、スペクトルアナライザの標準的なパラメータである電力基準レベル、周波数スパン、ＲＢＷ、ＶＢＷ、検波方式、掃引時間などを地上デジタル放送信号の状態に合わせて正しく設定する必要がある。
【０００５】
このように、地上デジタル放送信号の測定には、使用する測定装置についても精通し、正しいパラメータを設定する必要がある。
【０００６】
さらに、地上デジタル放送信号の測定は、野外での電波状態の監視や遠隔地にある送信機・中継機の検査のために行われることが多い。このような場所へは頻繁に行くことができないため、測定を行ったその場で測定が正しく行われたかを判断し、必要によって再測定を行うこともある。このように、測定データの妥当性を判断する機能も必要となる。
【０００７】
以上のように、地上デジタル放送信号を測定する場合、地上デジタル放送信号そのものに対する知識と測定装置に対する知識を持った専門的な人でないと正確な測定をすることができない。必然的に、このような専門知識を有する人は人数が限られている。
【０００８】
本発明は、このような事情に鑑みてなされたものであり、専門知識のない人でも地上デジタル放送システムで採用されている地上デジタル放送信号が有する特性の測定を簡単に、正確に、かつ再現性よく行え、操作性を大幅に向上できる地上デジタル放送測定システムを提供することを目的とする。
【課題を解決するための手段】
【０００９】
上記課題を解消するために、本発明は、複数チャネルで構成され、各チャネルの周波数帯域に変調方式が異なる複数のデジタル情報の階層を配置しこれらの階層をＯＦＤＭ変調した地上デジタル放送信号が有するチャネル毎の各特性の測定項目を測定条件に従って測定し、測定結果を表示器に表示出力する地上デジタル放送測定システムにおいて、表示器に表示された測定項目選択画面を用いて操作入力されたチャネル毎の特性の測定項目を設定する測定項目設定手段と、この測定項目設定手段で設定されたチャネル毎の特性の測定項目を記憶する測定項目メモリと、この測定項目メモリに記憶された各チャネルの測定項目を測定条件に従って順番に実施していく測定実行手段とを備えている。
【００１０】
このように構成された地上デジタル放送測定システムにおいては、表示器に表示された測定項目選択画面を用いてチャネル毎の特性の測定項目を予め設定して、測定項目メモリに記憶させておくことが可能である。したがって、実際の測定に際しては、測定者は測定指示を操作入力するのみで、測定項目メモリに記憶された各チャネルの測定項目が測定条件に従って順番に自動的に実施されていくので、例えば、測定位置を移動しながら同一測定を繰り返し実施する場合に非常に便利である。
【００１１】
また別の発明は、上記発明の地上デジタル放送測定システムにおいて、各特性の測定を実施するに際して必要な測定条件を示す各パラメータを入力された地上デジタル放送信号から取得して設定する自動設定モードと、各特性の測定を実施するに際して必要な測定条件を示す各パラメータを操作入力に基づいて設定する手動設定モードと、操作入力に基づいて自動設定モード又は手動設定モードを選択する設定モード選択手段とを備えている。
【００１２】
このように構成された地上デジタル放送測定システムにおいては、各特性の測定を実施するに際して必要な測定条件を示す各パラメータの設定に対して自動設定モードと手動設定モードとの２種類の設定モードが準備されている。この地上デジタル放送測定に不慣れな測定者は、自動測定モードにしておくことで、測定に必要なパラメータを入力する必要がなく、簡単に地上デジタル放送信号の測定が行える。
【００１３】
また別の発明は、上記発明の地上デジタル放送測定システムにおいて、現在位置情報を取得する位置情報取得手段と、測定結果に位置情報取得手段で取得された現在位置情報を付加する位置情報付加手段とを備えている。
【００１４】
このように構成された地上デジタル放送測定システムにおいては、測定結果に自動で位置情報が付くため、測定結果を地図上に書込むときの利便性が向上する。
【発明の効果】
【００１５】
本発明の地上デジタル放送測定システムにおいては、チャネル毎の特性の測定項目を予め設定して、測定項目メモリに記憶させておき、測定項目メモリに記憶された各チャネルの測定項目を測定条件に従って順番に自動的に実施させている。したがって、専門知識のない人でも地上デジタル放送信号が有する特性の測定を簡単に、正確に、かつ再現性よく行え、操作性を大幅に向上できる。
【発明を実施するための最良の形態】
【００１６】
以下、本発明の実施形態を図面を用いて説明する。
【００１７】
図１は本発明の一実施形態に係わる地上デジタル放送測定システムの全体構成を示す模式図である。
【００１８】
この地上デジタル放送測定システムは、大きく分けて、測定装置１、制御装置２、位置情報取得装置３、通信装置４、印刷装置５で構成されている。そして、この地上デジタル放送測定システムは測定車６に搭載されている。
【００１９】
測定装置１は、各放送局の共同のアンテナ７から出力される地上デジタル放送信号ａを受信して、この地上デジタル放送信号ａが有する電界強度やＭＥＲ（変調誤差比）などの特性を測定し、測定結果を、表示器に表示すると共に、必要に応じて、測定装置内に保存し、また、制御装置２に伝送することができる。
【００２０】
位置情報取得装置３は、ＧＰＳ衛星８からのＧＰＳ信号ｂを用いて測定車６の現在位置情報を算出して、算出した現在位置情報を制御装置２へ送出する。通信装置3は無線または有線の通信ネットワーク９を使い、離れた場所にある他の通信装置へ測定結果を送信すると共に、他の通信装置から各種の指令を受信して制御装置２へ転送する。印刷装置５は必要に応じて測定結果を印字出力する。
【００２１】
制御装置２は、測定装置１、位置情報取得装置３、通信装置４、印刷装置５に接続され、それぞれの機器から測定結果等のデータを取得ことができる。また、制御装置２は測定装置１、位置情報取得装置３と通信装置４に制御命令を送り動作を制御する。
【００２２】
図２は、ＯＦＤＭ（直交周波数分割多重）変調方式で変調された地上デジタル放送信号ａの各放局に割当てられた１チャネル分の信号の周波数分布図である。１チャネルは、１３個のセグメント１０で構成されている。そして、１個又は複数のセグメント１０で階層１１が形成されている。具体的には、１３個のセグメント１０でＡ階層、Ｂ階層、Ｃ階層の３個の階層１１が形成されている。さらに、各セグメント１０は複数のサブキャリア１２で構成されている。この複数のサブキャリア１２のうちの、モード毎に指定された特定位置のサブキャリアには、ＴＭＣＣ（Transmission and Multiplexing Configuration Control  制御情報）１３が組込まれている。
【００２３】
同一階層１１に所属する各サブキャリア１２は局が指定した同一の変調方式で変調されているが、ＴＭＣＣ（制御情報）１３だけは固定のＢＰＳＫの変調方式で変調されている。
【００２４】
このような構成の地上デジタル放送信号ａを一義的に定義するパラメータとして、周波数（チャンネル）、電力基準レベル、モード、ガード比、階層数、セグメント数、変調方式等がある。
【００２５】
図３は測定装置１の概略構成を示すブロック図である。周波数変換部１４は、入力された地上デジタル放送信号ａの周波数を、測定実行部１５から指定された周波数（チャンネル）に応じた低周波数に変換して、Ａ／Ｄ変換器１６へ送出する。周波数変換された地上デジタル放送信号ａは、Ａ／Ｄ変換器１６でＡ／Ｄ変換されたのち、一旦、波形メモリ１７へ書込まれる。
【００２６】
波形メモリ１７に書込まれた１チャネル分の地上デジタル放送信号ａは読出されて、直交復調部１８にて、デジタルのベースバンド信号Ｉ、Ｑに直交復調され、ＯＦＤＭ復調部１９、シンボル抽出部２０へ入力される。シンボル抽出部２０は、地上デジタル放送信号ａのシンボルタイミングを検出してＯＦＤＭ復調部１９へ送出するとともに、有効シンボル長を検出してモード検出部２１へ送出する。モード検出部２１は、検出された有効シンボル長の値から、該当チャネルの地上デジタル放送信号ａのモード（モード１、２、３のなかの１つのモード）を判定して、ＴＭＣＣ読取部２３へ送出する。
【００２７】
ＯＦＤＭ復調部１９は、シンボル抽出部２０からのシンボルタイミングを用いて、入力されたデジタルのベースバンド信号Ｉ、Ｑに対して高速フーリエ変換（ＦＦＴ）処理を実施することによって、１チャネル分の地上デジタル放送信号ａに含まれる各セグメント１０の全てのサブキャリア１２を抽出して、区分部２２及びＴＭＣＣ読取部２３へ送出する。
【００２８】
ＴＭＣＣ読取部２３は、モード検出部２１で指定されたモードに基づいて、入力されたサブキャリア１２のなかからＴＭＣＣ（制御情報）１３を抽出して、このＴＭＣＣ（制御情報）１３をＢＰＳＫの復調方式で復調して、このＴＭＣＣ（制御情報）１３で示される、該当チャネルの地上デジタル放送信号ａにおけるＡ階層、Ｂ階層、Ｃ階層の３個の階層１１の各位置、各階層１１のセグメント１０数、各セグメント１０に含まれる各サブキャリア１２の変調方式を解読して、必要な情報を区分部２２、復調部２４、周波数分析部２８へ送出する。
【００２９】
区分部２２は、ＯＦＤＭ復調部１９から入力した全てのサブキャリア１２をＴＭＣＣ読取部２３で指定された情報に基づいて、Ａ階層、Ｂ階層、Ｃ階層の各サブキャリア１２に区分して、復調部２４へ送出する。復調部２４は、Ａ階層、Ｂ階層、Ｃ階層の各サブキャリア１２を、ＴＭＣＣ読取部２３から指定された各変調方式に対応する各復調方式で復調する。
【００３０】
コンスタレーション測定部２５は、図５、６に示すように、復調結果を、Ａ階層、Ｂ階層、Ｃ階層の各階層１１毎の、Ｉ、Ｑ座標上の位置を示すコンスタレーション４１に編集して表示器２７に表示する。さらにＭＥＲ測定部２６は、復調結果からＡ階層、Ｂ階層、Ｃ階層の各階層１１毎のＭＥＲ（変調誤差比）４２を算出して、図５、６に示すように、表示器２７に表示する。
【００３１】
周波数分析部２８は、指定された各チャネルの地上デジタル放送信号ａを周波数分析して、分析結果を電力測定部２９へ送出する。電力測定部２９は各周波数の電力を測定する。電界強度測定部３２は、電力測定部２９で測定された各周波数の電力の総和である電界（電力）強度をチャネル毎に求めて、図１０に示すように、表示器２７に表示する。スプリアス測定部３８は、電力測定部２９で測定された各サブキャリア１２の電力の周波数分布から、各サブキャリア１２のスプリアス（漏洩電力）を求めて、チャネル毎の平均値を算出して、図１０に示すように、表示器２７に表示する。
【００３２】
周波数占有帯幅測定部３０は、周波数分析部２８で測定された周波数分析結における各サブキャリア１２の周波数分布から、各サブキャリア１２の周波数占有帯幅を求めて、チャネル毎の平均値を算出して、図１０に示すように、表示器２７に表示する。
【００３３】
スペクトルマスク測定部３１は、図９に示すように、周波数分析部２８で測定されたチャネル毎の測定周波数分布４３ｂを規格で定められた基準周波数分布４３ａとの対比で示すスペクトルマスク４３を得て、表示器２７に表示する。なお、横軸の中心周波数は該当チャネルの搬送波周波数である。
【００３４】
次に、遅延プロファイル測定部３４の動作を、図７、図８を用いて説明する。  
図８（ａ）に示すように、アンテナ７から電波放出された地上デジタル放送信号ａは測定装置１に直接入力される直接波（信号ａ）とビル等の反射物４６に反射された後に入力される複数の反射波（信号ａ1、信号ａ2）とがある。したがって、測定装置１には、図８（ｂ）に示すように、各信号ａ、ａ1、ａ2が経路差に応じた時間差を有して入力されることになる。
【００３５】
遅延プロファイル４４とは、図７（ａ）に示すように、横軸に時間をとり、縦軸に反射波（信号ａ1、信号ａ2）のレベル（直接波（信号ａ）を０ｄＢとした相対値）をグラフ化したものである。横軸のデータとして２７００ポイントぐらいあるため、全てのデータを表示器２７の画面上に表示することができない（画面の幅は８００ポイントぐらいのため）。そこで、全体表示４５ａと全体表示の中の一部分を拡大する拡大表示４５ｂの2通りのグラフを表示器２７に同時に表示させている。
【００３６】
測定者が全体表示４５ａと拡大表示４５ｂでデータの値を読むため、それぞれにマーカ機能を持たせている。具体的にはマーカ４７位置のデータを読取る。測定者は、マーカ４７を左右に移動させるため、図７（ｂ）に示すように、測定装置１の正面パネルに設けられたロータリーエンコーダ４７ａを使用し、これを回すことでマーカ４７を左右に移動させる。
【００３７】
全体表示４５ａと拡大表示４５ｂの両方にマーカ４７があるが、ロータリーエンコーダ４７ａだけで両方のマーカ４７を連動して移動させることができ、マーカ４７の位置によってマーカ４７を移動させる量を変化させている。具体的には、マーカ４７が拡大表示４５ｂの範囲に入っているときは、ロータリーエンコーダ４７ａの1クリックでグラフの1データを移動するようにする。また、マーカ４７が拡大表示４５ｂの範囲外にあるときは、ロータリーエンコーダ４７ａの1クリックでグラフの（たとえば）１０データを移動するようにする。このように、マーカ４７の移動を測定者が見やすいようにスムーズに行うことができる。
【００３８】
ちなみに、従来の方法では、それぞれのグラフにマーカを独立で表示させ、操作するマーカを何がしかの方法で切換えることを必要としていた。そのため、操作性が煩雑になり測定に不慣れな者には分かり難かった。
【００３９】
次に、設定モード選択部３５、パラメータ自動抽出部３７、パラメータ設定部３８の動作を説明する。この実施形態の測定装置１においては、必要な測定条件を示す前述した電力基準レベル、モード、ガード比、階層数、セグメント数、変調方式等の各パラメータを入力された地上デジタル放送信号ａ自体から取得して設定する自動設定モードと、各パラメータを測定者が操作部３６を用いた操作入力に基づいて設定する手動設定モードとの２つの設定モードが準備されている。測定者は、操作部３６でいずれかの測定モードを選択する。
【００４０】
自動設定モードが選択されると、パラメータ自動抽出部３７が起動して、シンボル抽出部２０、モード検出部２１、ＴＭＣＣ読取部３２等へ起動指令を送出して、モード、ガード比、階層数、セグメント数、変調方式等の各パラメータを得て、必要な各部１９、２２、２４へ自動設定させる。
【００４１】
なお、電力基準レベルのパラメータを決めるには測定装置１に入力される全電力をまず測定する。すなわち、測定装置１の周波数分析部２８、電力測定部２９を使い、下限周波数から上限周波数までを掃引して全測定ポイントの電力を積分して全電力を求める。この全電力が測定装置１に入力しても測定装置１が飽和しないように電力基準レベルを決める。そして、この電力基準レベルを、周波数変換部１４の前段に配設された減衰器に設定する。  
この自動設定モードが選択された場合の表示器２７に表示された測定結果の表示例を図５に示す。
【００４２】
手動設定モードが選択されると、パラメータ設定部３８が起動して、図６に示すように、表示器２７に、電力基準レベル、モード、ガード比、階層数、セグメント数、変調方式等の各パラメータの入力画面４８を表示して、測定者に各パラメータを操作入力させる。パラメータ設定部３８は、シンボル抽出部２０、モード検出部２１、ＴＭＣＣ読取部３２等へ動作停止指令を送出して、測定者が操作入力したモード、ガード比、階層数、セグメント数、変調方式等の各パラメータを必要な各部１９、２２、２４へ設定する。  
この手動設定モードが選択された場合の表示器２７に表示された測定結果の表示例を図６に示す。
【００４３】
次に、チャネル・測定項目設定部３９、測定項目メモリ４０の動作を説明する。チャネル・測定項目設定部３９は、操作部３６からの指示に応じて、表示器２７に図４に示す測定項目選択画面４９を表示する。測定者はこの測定項目選択画面４９を用いて、チャネル毎に必要な測定項目（電界強度、コンスタレーション、遅延プロファイル、スペクトルマスク、周波数占有帯幅、スプリアス、ＭＥＲ）を選択設定する。このチャネル・測定項目設定部３９で設定されたチャネル毎の特性の測定項目は測定項目メモリ４０に記憶保持される。
【００４４】
測定実行部１５は、操作部３６から測定開始指令が入力されると、図１１及び図１２の流れ図に従って、測定項目メモリ４０に記憶された各チャネルの測定項目を順番に実施していく。なお、この図１１及び図１２の流れ図においては、自動設定モードが選択された場合について説明する。
【００４５】
先ず、測定対象チャネルｃｈを測定項目メモリ４０に記憶されているチャネルの初期値１３に設定する（ステップＳ１）。測定対象チャネルｃｈが最大チャネルｃｈ６９以下の場合は（Ｓ２）、電力基準レベルを前述した手法で測定し自動設定する（Ｓ３）。モード、ガード比を前述した手法で検出し自動設定する（Ｓ４）。階層数、セグメント数、変調方式を前述した手法で検出し自動設定する（Ｓ５）。以上で該当チャネルの各パラメータの設定処理が終了する。
【００４６】
次に、該当チャネルの電界強度測定が選択されている場合は（Ｓ６）、電界強度測定部３２へ測定指示を送出して電界強度測定を実施する（Ｓ７）。該当チャネルのコンスタレーション測定が選択されている場合は（Ｓ８）、コンスタレーション測定部２５へ測定指示を送出してコンスタレーション測定を実施する（Ｓ９）。該当チャネルの遅延プロファイル測定が選択されている場合は（Ｓ１０）、遅延プロファイル測定部３４へ測定指示を送出して遅延プロファイル測定を実施する（Ｓ１１）。
【００４７】
該当チャネルのスペクトルマスク測定が選択されている場合は（Ｓ１２）、スペクトルマスク測定部３１へ測定指示を送出してスペクトルマスク測定を実施する（Ｓ１３）。該当チャネルの周波数占有帯幅測定が選択されている場合は（Ｓ１４）、周波数占有帯幅測定部３０へ測定指示を送出して周波数占有帯幅測定を実施する（Ｓ１５）。該当チャネルのスプリアス測定が選択されている場合は（Ｓ１６）、スプリアス測定部３１へ測定指示を送出してスプリアス測定を実施する（Ｓ１７）。該当チャネルのＭＥＲ測定が選択されている場合は（Ｓ１８）、ＭＥＲ測定部２６へ測定指示を送出してＭＥＲ測定を実施する（Ｓ１９）。
【００４８】
以上で、１つのチャネルに設定された各測定項目に対する測定が終了したので、測定対象チャネルｃｈを１だけ更新して（Ｓ２０）、Ｓ２へ戻る。Ｓ２にて、更新後の測定対象チャネルｃｈが最大チャネルｃｈ６９を超えた場合は、今回の地上デジタル放送信号ａの特性測定を終了する。
【００４９】
各測定項目の測定結果は、図５、図６、図９、図１０に示すように、表示器２７に、各測定項目単独で、又は複数の測定項目がまとめて表示される。
【００５０】
こように、地上デジタル放送信号ａの各特性の測定を実施するに際して必要な測定条件を示す各パラメータの設定に対して自動設定モードと手動設定モードとの２種類の設定モードが準備されている。そして、この地上デジタル放送信号ａの測定に不慣れな測定者は、自動測定モードにしておくことで、測定に必要な電力基準レベル、モード、ガード比、階層数、セグメント数、変調方式等のパラメータを入力する必要がなく、簡単に地上デジタル放送信号の測定が行える。
【００５１】
逆に、この地上デジタル放送信号ａの測定を熟知した測定者は、手動測定モードにしておくことで、測定に必要な電力基準レベル、モード、ガード比、階層数、セグメント数、変調方式等のパラメータを任意に設定でき、測定目的に応じたより綿密な測定を実施できる。
【００５２】
また、表示器２７に表示された図４に示す測定項目選択画面４９を用いてチャネル毎の電界強度、コンスタレーション、遅延プロファイル、スペクトルマスク、周波数占有帯幅、スプリアス、ＭＥＲ等の各測定項目を予め設定して、測定項目メモリ４０に記憶させておき、実際の測定に際しては、測定者は測定指示を操作入力するのみで、測定項目メモリに記憶された各チャネルの測定項目が前述した各パラメータ（測定条件）に従って順番に自動的に実施されていく。したがって、例えば、測定位置を移動しながら同一測定を繰り返し実施する場合に非常に便利であり、測定作業能率を大幅に向上できる。
【００５３】
さらに、測定装置１において測定されたチャネル毎に測定項目選択画面４９を用いて選択された地上デジタル放送信号ａの各測定項目の測定結果は、制御装置２へ送信され、この制御装置２において、位置情報取得部３から入力された現在位置情報が付されて、記憶保持されるとともに、印刷装置５で地図上に報告書形式で印字出力される。
【００５４】
また、測定者は、必要に応じて、制御装置２を操作して、現在位置情報が付された測定結果を、通信装置４、通信ネットワーク９を介して、管理者が常駐する技術センターに送信することが可能である。このことにより、専門知識のない測定者が測定しても、測定結果を瞬時に専門知識を有する管理者へ送り、結果の妥当性を確認してもらえるため専門的知識のない測定者でも測定場所で測定結果の妥当性を確認できる。
【図面の簡単な説明】
【００５５】
【図１】本発明の一実施形態に係わる地上デジタル放送測定システムの全体構成を示す模式図
【図２】同実施形態の地上デジタル放送測定システムで測定される地上デジタル放送信号の１チャネル分の信号の周波数分布図
【図３】同実施形態の地上デジタル放送測定システムに組込まれた測定装置の概略構成を示すブロック図
【図４】同測定装置の表示器に表示された測定項目選択画面を示す図
【図５】同測定装置の表示器に表示されたコンスタレーションの測定結果を示す図
【図６】同じく同測定装置の表示器に表示されたコンスタレーションの測定結果を示す図
【図７】同測定装置の表示器に表示された遅延プロファイルの測定結果を示す図
【図８】同遅延プロファイルの定義を説明するための図
【図９】同測定装置の表示器に表示されたスペクトルマスクの測定結果を示す図
【図１０】同測定装置の表示器に表示されたチャネル毎の各測定項目の測定結果を示す図
【図１１】同測定装置に組込まれた測定実行部の動作を示す流れ図
【図１２】同じく同測定装置に組込まれた測定実行部の動作を示す流れ図
【符号の説明】
【００５６】
１…測定装置、２…制御装置、３…位置情報取得装置、４…通信装置、５…印刷装置、６…測定車、７…アンテナ、８…ＧＰＳ衛星、９…通信ネットワーク、１０…セグメント、１１…階層、１２…サブキャリア、１３…ＴＭＣＣ、１４…周波数変換部、１５…測定実行部、１６…Ａ／Ｄ変換器、１７…波形メモリ、１８…直交復調部、１９…ＯＦＤＭ復調部、２０…シンボル抽出部、２１…モード検出部、２２…区分け部、２３…ＴＭＣＣ読取部、２４…復調部、２５…コンスタレーション測定部、２６…ＭＥＲ測定部、２７…表示器、２８…周波数分析部、２９…電力測定部、３０…周波数占有帯幅測定部、３１…スペクトルマスク測定部、３２…電界強度測定部、３３…スプリアス測定部、３４…遅延プロファイル測定部、３５…設定モード選択部、３６…操作部、３７…パラメータ自動検出部、３８…パラメータ設定部、３９…チャネル・測定項目設定部、４０…測定項目メモリ、４１…コンスタレーション、４３…スペクトルマスク、４４…遅延プロファイル、４７…マーカ、４７ａ…ロータリーエンコーダ、４８…パラメータ入力画面、４９…測定項目選択画面
【図１】
2006033173.tif 000003
【図２】
2006033173.tif 000004
【図３】
2006033173.tif 000005
【図４】
2006033173.tif 000006
【図５】
2006033173.tif 000007
【図６】
2006033173.tif 000008
【図７】
2006033173.tif 000009
【図８】
2006033173.tif 000010
【図９】
2006033173.tif 000011
【図１０】
2006033173.tif 000012
【図１１】
2006033173.tif 000013
【図１２】
2006033173.tif 000014